(57)【要約】【課題】第１アンテナと、第１アンテナと非接触で共振するブースター用の第２アンテナとの間における電磁界結合が強く、長距離通信を行うことが可能な非接触型データ受送信体を提供する。【解決手段】ＩＣチップが接続される第１アンテナは、少なくとも３つの直線部を有する環形状のアンテナであり、前記第２アンテナは、前記第１アンテナの前記３つの直線部の各々に沿うように形成された凹部を有する平板状の中央部と、該中央部に連接し、該中央部から互いに反対方向にそれぞれ沿在する平板状のブースターアンテナ部とから構成されており、前記第１アンテナの長さの４分の３以上の長さに亘って前記第１アンテナに沿うように配置されている金属製の平板状のアンテナであり、前記ＩＣチップは、前記第１アンテナの前記３つの直線部上に配置され、該直線部において前記第１アンテナに接続されている。【選択図】図８
2019135675.tif 000002
【特許請求の範囲】
【請求項１】
ＩＣチップと、該ＩＣチップが接続される第１アンテナと、該第１アンテナと非接触で共振するブースター用の第２アンテナとを備える非接触型データ受送信体であって、
前記第１アンテナは、少なくとも３つの直線部を有する環形状のアンテナであり、
前記第２アンテナは、前記第１アンテナの前記３つの直線部の各々に沿うように形成された凹部を有する平板状の中央部と、該中央部に連接し、該中央部から互いに反対方向にそれぞれ沿在する平板状のブースターアンテナ部とから構成されており、前記第１アンテナの長さの４分の３以上の長さに亘って前記第１アンテナに沿うように配置されている金属製の平板状のアンテナであり、
前記ＩＣチップは、前記第１アンテナの前記３つの直線部上に配置され、該直線部において前記第１アンテナに接続されていることを特徴とする非接触型データ受送信体。
【請求項２】
前記第２アンテナは、前記第１アンテナの前記３つの直線部の各々との間隔が２ｍｍ以下となるように配置されていることを特徴とする請求項１記載の非接触型データ受送信体。
【請求項３】
前記第２アンテナの厚さは、１ｍｍ〜３ｍｍであることを特徴とする請求項１または請求項２に記載の非接触型データ受送信体。
【請求項４】
前記第１アンテナと前記第２アンテナとは、同一面に含まれるように配置されていることを特徴とする請求項１から請求項３の何れか一項に記載の非接触型データ受送信体。
【請求項５】
前記第２アンテナは、前記第１アンテナが含まれる第１面と異なる第２面に含まれており、且つ前記第１面を平面視で見た場合に、前記第２アンテナの前記凹部が前記第１アンテナの前記３つの直線部と重なるよう配置されていることを特徴とする請求項１から請求項３の何れか一項に記載の非接触型データ受送信体。
【請求項６】
前記凹部は、３つの辺部を有しており、
前記第２アンテナは、前記第１アンテナが含まれる第１面と異なる第２面に含まれており、且つ前記第１面を平面視で見た場合に、前記凹部をなす前記３つの辺部の少なくとも１つが、前記第１アンテナの前記３つの直線部から位置ずれするように配置されていることを特徴とする請求項１から請求項３の何れか一項に記載の非接触型データ受送信体。
【発明の詳細な説明】
【技術分野】
【０００１】
本発明は、非接触型データ受送信体に関する。
本願は、２０１４年１０月３０日に、日本に出願された特願２０１４−２２１４１９号に基づき優先権を主張し、その内容をここに援用する。
【背景技術】
【０００２】
ＲＦＩＤ（Ｒａｄｉｏ  Ｆｒｅｑｕｅｎｃｙ  ＩＤｅｎｔｉｆｉｃａｔｉｏｎ）用途の情報記録メディアのように、電磁波または電波を媒体として外部から情報を受信し、また、外部に情報を送信できるようにした非接触型データ受送信体としては、例えば、ＩＣタグが挙げられる。
ＩＣタグの一例としては、ＩＣチップと、ＩＣチップに接続される第１アンテナと、第１アンテナに近接して配置され、第１アンテナと非接触で共振するブースター用の第２アンテナとを備えるものが知られている（例えば、特許文献１参照）。
【先行技術文献】
【特許文献】
【０００３】
【特許文献１】特開２０１３−１７１４２８号公報
【発明の概要】
【発明が解決しようとする課題】
【０００４】
しかしながら、特許文献１に記載の非接触型データ受送信体では、第１アンテナが円環形状をなしているのに対して、第２アンテナが３つの直線部を有する形状のアンテナである。そのため、第１アンテナに沿って、第２アンテナが配置されていなかった。これにより、第１アンテナと第２アンテナの間における電磁界結合が弱く、長距離通信が困難であるという課題があった。
【０００５】
本発明は、上記事情に鑑みてなされたものであって、第１アンテナと、第１アンテナと非接触で共振するブースター用の第２アンテナとを備え、これら２つのアンテナの間における電磁界結合が強く、長距離通信を行うことが可能な非接触型データ受送信体を提供することを目的とする。
【課題を解決するための手段】
【０００６】
本発明の非接触型データ受送信体は、ＩＣチップと、該ＩＣチップが接続される第１アンテナと、該第１アンテナと非接触で共振するブースター用の第２アンテナとを備える非接触型データ受送信体であって、前記第１アンテナは、少なくとも３つの直線部を有する環形状のアンテナであり、前記第２アンテナは、前記第１アンテナの前記３つの直線部の各々に沿うように、且つ互いに９０度以上の角度をなすように中央部が折り曲げられたアンテナであり、前記ＩＣチップは、前記第１アンテナの前記３つの直線部上に配置され、該直線部において前記第１アンテナに接続されていることを特徴とする。
【０００７】
本発明の非接触型データ受送信体において、前記第２アンテナは、前記第１アンテナの前記３つの直線部の各々との間隔が２ｍｍ以下となるように配置されていることが好ましい。
【０００８】
本発明の非接触型データ受送信体において、前記第１アンテナは、四角環形状であり、前記第２アンテナは、前記第１アンテナの長さの４分の３以上の長さに亘って前記第１アンテナに沿うようにされていることが好ましい。
【発明の効果】
【０００９】
本発明によれば、第１アンテナと、第１アンテナと非接触で共振するブースター用の第２アンテナとを備え、これら２つのアンテナの間における電磁界結合が強く、長距離通信を行うことが可能な非接触型データ受送信体を提供することができる。
【図面の簡単な説明】
【００１０】
【図１】第１の実施形態の非接触型データ受送信体を示す概略平面図である。
【図２】第２の実施形態の非接触型データ受送信体を示す概略平面図である。
【図３】第３の実施形態の非接触型データ受送信体を示す概略平面図である。
【図４】第４の実施形態の非接触型データ受送信体を示す概略平面図である。
【図５】第５の実施形態の非接触型データ受送信体を示す概略平面図である。
【図６】第６の実施形態の非接触型データ受送信体を示す概略平面図である。
【図７】第７の実施形態の非接触型データ受送信体を示す概略平面図である。
【図８】第８の実施形態の非接触型データ受送信体を示す概略平面図である。
【発明を実施するための形態】
【００１１】
本発明の非接触型データ受送信体の実施の形態について説明する。
なお、本実施の形態は、発明の趣旨をより良く理解させるために具体的に説明するものであり、特に指定のない限り、本発明を限定するものではない。
【００１２】
（１）第１の実施形態
図１は、本実施形態の非接触型データ受送信体を示す概略平面図である。
本実施形態の非接触型データ受送信体１０は、ＩＣチップ１１と、ＩＣチップ１１が接続される第１アンテナ１２と、第１アンテナ１２と非接触で共振するブースター用の第２アンテナ１３と、を備える。
【００１３】
第１アンテナ１２は、４つの直線部１２Ａ，１２Ｂ，１２Ｃ，１２Ｄを有する四角環形状のアンテナである。本実施形態では、第１アンテナ１２は正方形の環形状をなしている。
【００１４】
第２アンテナ１３は、中央部１３Ａと、中央部１３Ａに連接し、中央部１３Ａから紙面の左右方向にそれぞれ沿在する直線状のブースターアンテナ部１３Ｂ，１３Ｂとから構成されている。第２アンテナ１３は、第１アンテナ１２の３つの直線部１２Ａ，１２Ｂ，１２Ｄの各々に沿うように、且つ互いに９０度の角度をなすように中央部１３Ａが折り曲げられている。言い換えれば、四角環形状をなす第１アンテナ１２に沿って配置される第２アンテナ１３の中央部１３Ａは、コ字状をなしている。また、中央部１３Ａと、ブースターアンテナ部１３Ｂ，１３Ｂとのなす角度θ１，θ２が９０度である。
【００１５】
また、第２アンテナ１３の中央部１３Ａは、第２アンテナ１３の長手方向（紙面左右方向）の中央に配置され、第２アンテナ１３の長手方向と平行な第１直線部１４と、第１直線部１４に連接し、第１直線部１４と垂直（第２アンテナ１３の長手方向と垂直）な第２直線部１５，１５とから構成されている。
さらに、第２アンテナ１３は、中央部１３Ａの中央を通り、第２アンテナ１３の長手方向に対して垂直な直線（中心線）を基準として線対称（紙面左右方向に線対称）となっている。
【００１６】
本実施形態では、第２アンテナ１３において、中央部１３Ａとブースターアンテナ部１３Ｂ，１３Ｂとのなす角度θ１，θ２が９０度である場合を例示したが、本実施形態はこれに限定されない。本実施形態では、第２アンテナ１３において、中央部１３Ａとブースターアンテナ部１３Ｂ，１３Ｂとのなす角度θ１，θ２が９０度以上であればよい。第２アンテナ１３において、中央部１３Ａとブースターアンテナ部１３Ｂ，１３Ｂとのなす角度θ１，θ２が９０度未満では、曲げ部での損失の影響が大きくなり通信距離が短くなる。
【００１７】
ＩＣチップ１１は、第１アンテナ１２の直線部１２Ａ上に配置され、その直線部１２Ａにおいて第１アンテナ１２に接続されている。また、ＩＣチップ１１は、第１アンテナ１２の直線部１２Ａの中央部に配置されている。また、ＩＣチップ１１は、第２アンテナ１３の第１直線部１４の中央部に近接して配置されている。このような配置にすることで、第１アンテナ１２に対する給電点としてのＩＣチップ１１を第２アンテナ１３に近づけることができる。これにより、通信距離を長くすることができる。
【００１８】
第２アンテナ１３は、第１アンテナ１２の３つの直線部１２Ａ，１２Ｂ，１２Ｄの各々との間隔ｄ１，ｄ２，ｄ３が２ｍｍ以下となるように配置されていることが好ましい。なお、間隔ｄ１は、第１アンテナ１２の直線部１２Ａと第２アンテナ１３（中央部１３Ａ）との間隔である。間隔ｄ２は、第１アンテナ１２の直線部１２Ｂと第２アンテナ１３（中央部１３Ａ）との間隔である。間隔ｄ３は、第１アンテナ１２の直線部１２Ｄと第２アンテナ１３（中央部１３Ａ）との間隔である。
このような配置にするのは、第１アンテナ１２と第２アンテナ１３との電磁界結合を強くするためである。つまり、第２アンテナ１３と、第１アンテナ１２の３つの直線部１２Ａ，１２Ｂ，１２Ｄの各々との間隔ｄ１，ｄ２，ｄ３が２ｍｍを超えると、第１アンテナ１２と第２アンテナ１３との間における電磁界結合が弱くなることがある。
【００１９】
図１に示すように、第２アンテナ１３は、第１アンテナ１２の長さの４分の３以上の長さに亘って第１アンテナ１２に沿うように配置されていることが好ましい。
このようにすれば、第１アンテナ１２と第２アンテナ１３との間における電磁界結合をより強くすることができる。
【００２０】
また、第１アンテナ１２と第２アンテナ１３との配置は、以下に示す配置の何れであっても良い。
（ａ）第１アンテナ１２と第２アンテナ１３とが同一面に含まれる配置
（ｂ）第１アンテナ１２が含まれる面（以下、開口面という）と異なる面に第２アンテナ１３が含まれている配置。且つ、開口面を平面視で見た場合に、第２アンテナ１３の中央部１３Ａが第１アンテナの３つの直線部１２Ａ，１２Ｂ，１２Ｄと重なる配置
（ｃ）開口面と異なる面に第２アンテナ１３が含まれている配置。且つ、開口面を平面視で見た場合に、第２アンテナ１３の中央部１３Ａをなす第１直線部１４及び第２直線部１５，１５の少なくとも１つが、第１アンテナ１２の３つの直線部１２Ａ，１２Ｂ，１２Ｄから位置ずれしている配置（但し、上記間隔ｄ１，ｄ２，ｄ３（開口面と第２アンテナ１３が含まれる面との間隔も考慮した間隔）は、２ｍｍ以下にされている）
【００２１】
このように、本実施形態の非接触型データ受送信体１０は、上記（ａ）の配置、上記（ｂ）の配置、及び上記（ｃ）の配置の何れの配置にすることも可能である。したがって、本実施形態の非接触型データ受送信体１０は、設計の自由度が高い。
【００２２】
ＩＣチップ１１としては、特に限定されず、第１アンテナ１２および第２アンテナ１３を介して非接触状態にて情報の書き込みおよび読み出しが可能なものであればよい。ＩＣチップ１１としては、非接触型ＩＣタグや非接触型ＩＣラベル、あるいは、非接触型ＩＣカード等のＲＦＩＤメディアに適用可能なものであればいかなるものでも用いられる。
【００２３】
第１アンテナ１２および第２アンテナ１３としては、次のものが挙げられる。公知のポリマー型導電インク、銀インク組成物等の導電性のインクからなるアンテナ。金属箔をエッチングしてなるアンテナ。電気メッキや静電メッキ、もしくは金属蒸着等の各種薄膜形成法により形成された金属薄膜からなるアンテナ。板状の金属を打ち抜いたアンテナ。金属からなる繊維状のアンテナ。樹脂からなる繊維に金属等の導電材料を練りこんだアンテナ。樹脂からなる繊維にめっき、もしくは蒸着等で導電性材料を被覆したアンテナ。
【００２４】
本実施形態の非接触型データ受送信体１０は、第１アンテナ１２と第２アンテナ１３の間における電磁界結合が強く、且つ、給電点（ＩＣチップ１１）が第２アンテナ１３に近接している。これにより、本実施形態の非接触型データ受送信体１０は、長距離通信を行うことが可能である。
【００２５】
（２）第２の実施形態
図２は、本実施形態の非接触型データ受送信体を示す概略平面図である。図２において、図１に示した第１の実施形態の非接触型データ受送信体と同一の構成要素には同一符号を付して、その説明を省略する。
本実施形態の非接触型データ受送信体２０が、第１の実施形態の非接触型データ受送信体１０と異なる点は、次の２点である。ＩＣチップ１１が、第１アンテナ１２の直線部１２Ｄの中央部に配置されている点。ＩＣチップ１１が、第２アンテナ１３の第２直線部１５の一方（紙面右側）の中央部に近接して配置されている点。
【００２６】
本実施形態の非接触型データ受送信体２０は、第１アンテナ１２と第２アンテナ１３の間における電磁界結合が強く、且つ、給電点（ＩＣチップ１１）が第２アンテナ１３に近接している。これにより、本実施形態の非接触型データ受送信体２０は、長距離通信を行うことが可能である。
【００２７】
（３）第３の実施形態
図３は、本実施形態の非接触型データ受送信体を示す概略平面図である。図３において、図１に示した第１の実施形態の非接触型データ受送信体と同一の構成要素には同一符号を付して、その説明を省略する。
本実施形態の非接触型データ受送信体３０が、第１の実施形態の非接触型データ受送信体１０と異なる点は、次の２点である。ＩＣチップ１１が、第１アンテナ１２の直線部１２Ｃと直線部１２Ｄとの境界近傍に配置されている点。ＩＣチップ１１が、第２アンテナ１３の第２直線部１５の一方（紙面右側）とブースターアンテナ部１３Ｂとの境界近傍に近接して配置されている点。
【００２８】
本実施形態の非接触型データ受送信体３０は、第１アンテナ１２と第２アンテナ１３の間における電磁界結合が強く、且つ、給電点（ＩＣチップ１１）が第２アンテナ１３に近接している。これにより、本実施形態の非接触型データ受送信体３０は、長距離通信を行うことが可能である。
【００２９】
（４）第４の実施形態
図４は、本実施形態の非接触型データ受送信体を示す概略平面図である。図４において、図１に示した第１の実施形態の非接触型データ受送信体と同一の構成要素には同一符号を付して、その説明を省略する。
本実施形態の非接触型データ受送信体４０が、第１の実施形態の非接触型データ受送信体１０と異なる点は、次の２点である。ＩＣチップ１１が、第１アンテナ１２の直線部１２Ａと直線部１２Ｄとの境界に配置されている点。ＩＣチップ１１が、第２アンテナ１３の第１直線部１４と第２直線部１５の一方（紙面右側）との境界近傍に近接して配置されている点。
【００３０】
本実施形態の非接触型データ受送信体４０は、第１アンテナ１２と第２アンテナ１３の間における電磁界結合が強く、且つ、給電点（ＩＣチップ１１）が第２アンテナ１３に近接している。これにより、本実施形態の非接触型データ受送信体４０は、長距離通信を行うことが可能である。
【００３１】
（５）第５の実施形態
図５は、本実施形態の非接触型データ受送信体を示す概略平面図である。図５において、図１に示した第１の実施形態の非接触型データ受送信体と同一の構成要素には同一符号を付して、その説明を省略する。
本実施形態の非接触型データ受送信体５０が、第１の実施形態の非接触型データ受送信体１０と異なる点は、次の点である。第２アンテナ５１が、中央部５１Ａの中央を通り、第２アンテナ５１の長手方向に対して垂直な直線を基準として非対称（紙面左右方向に非対称）となっている点。すなわち、第２アンテナ５１では、中央部５１Ａの中央を通り、第２アンテナ５１の長手方向に対して垂直な直線を基準として、紙面左側のブースターアンテナ部５１Ｂが、紙面右側のブースターアンテナ部５１Ｃよりも短くなっている。
【００３２】
また、本実施形態の非接触型データ受送信体５０が、第１の実施形態の非接触型データ受送信体１０と異なる点は、次の２点である。ＩＣチップ１１が、第１アンテナ１２の直線部１２Ｄの中央部に配置されている点。ＩＣチップ１１が、第２アンテナ５１の第２直線部５３（第１直線部５２に連接し、第１直線部５２と垂直な部分）の一方（紙面右側）の中央部に近接して配置されている点。
また、ＩＣチップ１１は、第２アンテナ５１を一直線に伸した場合に、その一直線の中央部に近接するように配置されている。
【００３３】
本実施形態の非接触型データ受送信体５０は、第１アンテナ１２と第２アンテナ５１の間における電磁界結合が強く、且つ、給電点（ＩＣチップ１１）が第２アンテナ５１に近接している。これにより、本実施形態の非接触型データ受送信体５０は、長距離通信を行うことが可能である。
【００３４】
（６）第６の実施形態
図６は、本実施形態の非接触型データ受送信体を示す概略平面図である。
本実施形態の非接触型データ受送信体６０は、ＩＣチップ６１と、ＩＣチップ６１が接続される第１アンテナ６２と、第１アンテナ６２と非接触で共振するブースター用の第２アンテナ６３と、を備える。
【００３５】
第１アンテナ６２は、５つの直線部６２Ａ，６２Ｂ，６２Ｃ，６２Ｄ，６２Ｅを有する五角環形状のアンテナである。本実施形態では、第１アンテナ６２は正五角形の環形状をなしている。
【００３６】
第２アンテナ６３は、中央部６３Ａと、中央部６３Ａに連接し、中央部６３Ａから紙面の左右方向にそれぞれ沿在する直線状のブースターアンテナ部６３Ｂ，６３Ｂとから構成されている。第２アンテナ６３は、第１アンテナ６２の３つの直線部６２Ａ，６２Ｂ，６２Ｅの各々に沿うように、且つ互いに９０度以上の角度をなすように中央部６３Ａが折り曲げられている。言い換えれば、五角環形状をなす第１アンテナ６２に沿って配置される第２アンテナ６３の中央部６３Ａは、ブースターアンテナ部６３Ｂ，６３Ｂ側から次第に幅が狭くなるテーパー形状をなしている。また、中央部６３Ａと、ブースターアンテナ部６３Ｂ，６３Ｂとのなす角度θ１１，θ１２が９０度以上である。
【００３７】
また、第２アンテナ６３の中央部６３Ａは、第２アンテナ６３の長手方向（紙面左右方向）の中央に配置され、第２アンテナ６３の長手方向と平行な第１直線部６４と、第１直線部６４に連接し、第１直線部６４と角度θ１１，θ１２で斜めに交わる第２直線部６５，６５とから構成されている。
さらに、第２アンテナ６３は、中央部６３Ａの中央を通り、第２アンテナ６３の長手方向に対して垂直な直線（中心線）を基準として線対称（紙面左右方向に線対称）となっている。
【００３８】
ＩＣチップ６１は、第１アンテナ６２の直線部６２Ａ上に配置され、その直線部６２Ａにおいて第１アンテナ６２に接続されている。また、ＩＣチップ６１は、第１アンテナ６２の直線部６２Ａの中央部に配置されている。また、ＩＣチップ６１は、第２アンテナ６３の第１直線部６４の中央部に近接して配置されている。
【００３９】
第２アンテナ６３は、第１アンテナ６２の３つの直線部６２Ａ，６２Ｂ，６２Ｅの各々との間隔ｄ１１，ｄ１２，ｄ１３が２ｍｍ以下となるように配置されていることが好ましい。なお、間隔ｄ１１は、第１アンテナ６２の直線部６２Ａと第２アンテナ６３（中央部６３Ａ）との間隔である。間隔ｄ１２は、第１アンテナ６２の直線部６２Ｂと第２アンテナ６３（中央部６３Ａ）との間隔である。間隔ｄ１３は、第１アンテナ６２の直線部６２Ｅと第２アンテナ６３（中央部６３Ａ）との間隔である。
このような配置にするのは、第１アンテナ６２と第２アンテナ６３との電磁界結合を強くするためである。つまり、第２アンテナ６３と、第１アンテナ６２の３つの直線部６２Ａ，６２Ｂ，６２Ｅの各々との間隔ｄ１１，ｄ１２，ｄ１３が２ｍｍを超えると、第１アンテナ６２と第２アンテナ６３との間における電磁界結合が弱くなることがある。
【００４０】
また、第１アンテナ６２と第２アンテナ６３との配置は、以下に示す配置の何れであっても良い。
（ａ）第１アンテナ６２と第２アンテナ６３とが同一面に含まれる配置
（ｂ）第１アンテナ６２が含まれる面（以下、開口面という）と異なる面に第２アンテナ６３が含まれている配置。且つ、開口面を平面視で見た場合に、第２アンテナ６３の中央部６３Ａが第１アンテナの３つの直線部６２Ａ，６２Ｂ，６２Ｅと重なる配置
（ｃ）開口面と異なる面に第２アンテナ６３が含まれている配置。且つ、開口面を平面視で見た場合に、第２アンテナ６３の中央部６３Ａをなす第１直線部６４及び第２直線部６５，６５の少なくとも１つが、第１アンテナ６２の３つの直線部６２Ａ，６２Ｂ，６２Ｅから位置ずれしている配置（但し、上記間隔ｄ１１，ｄ１２，ｄ１３（開口面と第２アンテナ６３が含まれる面との間隔も考慮した間隔）は、２ｍｍ以下にされている）
【００４１】
このように、本実施形態の非接触型データ受送信体６０は、上記（ａ）の配置、上記（ｂ）の配置、及び上記（ｃ）の配置の何れの配置にすることも可能である。したがって、本実施形態の非接触型データ受送信体６０は、設計の自由度が高い。
【００４２】
ＩＣチップ６１としては、上記のＩＣチップ１１と同様のものが用いられる。
【００４３】
第１アンテナ６２および第２アンテナ６３としては、上記の第１アンテナ１２および第２アンテナ１３と同様のものが用いられる。
【００４４】
本実施形態の非接触型データ受送信体６０は、第１アンテナ６２と第２アンテナ６３の間における電磁界結合が強く、且つ、給電点（ＩＣチップ６１）が第２アンテナ６３に近接している。これにより、本実施形態の非接触型データ受送信体６０は、長距離通信を行うことが可能である。
【００４５】
（７）第７の実施形態
図７は、本実施形態の非接触型データ受送信体を示す概略平面図である。
本実施形態の非接触型データ受送信体７０は、ＩＣチップ７１と、ＩＣチップ７１が接続される第１アンテナ７２と、第１アンテナ７２と非接触で共振するブースター用の第２アンテナ７３と、を備える。
【００４６】
第１アンテナ７２は、３つの直線部７２Ａ，７２Ｂ，７２Ｄと、１つの湾曲部７２Ｃと、を有する環形状のアンテナである。本実施形態では、第１アンテナ７２は、３つの直線部７２Ａ，７２Ｂ，７２Ｄによって形成される台形と、台形の上底（紙面上側の辺）に相当する位置に、上底とは反対側に膨出するように配置され、湾曲部７２Ｃによって形成される半円形とから構成される環形状をなしている。
【００４７】
第２アンテナ７３は、中央部７３Ａと、中央部７３Ａに連接し、中央部７３Ａから紙面の左右方向にそれぞれ沿在する直線状のブースターアンテナ部７３Ｂ，７３Ｂとから構成されている。第２アンテナ７３は、第１アンテナ７２の３つの直線部７２Ａ，７２Ｂ，７２Ｄの各々に沿うように、且つ互いに９０度以上の角度をなすように中央部７３Ａが折り曲げられている。言い換えれば、環形状をなす第１アンテナ７２に沿って配置される第２アンテナ７３の中央部７３Ａは、ブースターアンテナ部７３Ｂ，７３Ｂ側から次第に幅が狭くなるテーパー形状をなしている。また、中央部７３Ａと、ブースターアンテナ部７３Ｂ，７３Ｂとのなす角度θ２１，θ２２が９０度以上である。
【００４８】
また、第２アンテナ７３の中央部７３Ａは、第２アンテナ７３の長手方向（紙面左右方向）の中央に配置され、第２アンテナ７３の長手方向と平行な第１直線部７４と、第１直線部７４に連接し、第１直線部７４と角度θ２１，θ２２で斜めに交わる第２直線部７５，７５とから構成されている。
さらに、第２アンテナ７３は、中央部７３Ａの中央を通り、第２アンテナ７３の長手方向に対して垂直な直線（中心線）を基準として線対称（紙面左右方向に線対称）となっている。
【００４９】
ＩＣチップ７１は、第１アンテナ７２の直線部７２Ａ上に配置され、その直線部７２Ａにおいて第１アンテナ７２に接続されている。また、ＩＣチップ７１は、第１アンテナ７２の直線部７２Ａの中央部に配置されている。また、ＩＣチップ７１は、第２アンテナ７３の第１直線部７４の中央部に近接して配置されている。
【００５０】
第２アンテナ７３は、第１アンテナ７２の３つの直線部７２Ａ，７２Ｂ，７２Ｄの各々との間隔ｄ２１，ｄ２２，ｄ２３が２ｍｍ以下となるように配置されていることが好ましい。なお、間隔ｄ２１は、第１アンテナ７２の直線部７２Ａと第２アンテナ７３（中央部７３Ａ）との間隔である。間隔ｄ２２は、第１アンテナ７２の直線部７２Ｂと第２アンテナ７３（中央部７３Ａ）との間隔である。間隔ｄ２３は、第１アンテナ７２の直線部７２Ｄと第２アンテナ７３（中央部７３Ａ）との間隔である。
このような配置にするのは、第１アンテナ７２と第２アンテナ７３との電磁界結合を強くするためである。つまり、第２アンテナ７３と、第１アンテナ７２の３つの直線部７２Ａ，７２Ｂ，７２Ｄの各々との間隔ｄ２１，ｄ２２，ｄ２３が２ｍｍを超えると、第１アンテナ７２と第２アンテナ７３との間における電磁界結合が弱くなることがある。
【００５１】
また、第１アンテナ７２と第２アンテナ７３との配置は、以下に示す配置の何れであっても良い。
（ａ）第１アンテナ７２と第２アンテナ７３とが同一面に含まれる配置
（ｂ）第１アンテナ７２が含まれる面（以下、開口面という）と異なる面に第２アンテナ７３が含まれている配置。且つ、開口面を平面視で見た場合に、第２アンテナ７３の中央部７３Ａが第１アンテナの３つの直線部７２Ａ，７２Ｂ，７２Ｄと重なる配置
（ｃ）開口面と異なる面に第２アンテナ７３が含まれている配置。且つ、開口面を平面視で見た場合に、第２アンテナ７３の中央部７３Ａをなす第１直線部７４及び第２直線部７５，７５の少なくとも１つが、第１アンテナ７２の３つの直線部７２Ａ，７２Ｂ，７２Ｄから位置ずれしている配置（但し、上記間隔ｄ２１，ｄ２２，ｄ２３（開口面と第２アンテナ７３が含まれる面との間隔も考慮した間隔）は、２ｍｍ以下にされている）
【００５２】
このように、本実施形態の非接触型データ受送信体７０は、上記（ａ）の配置、上記（ｂ）の配置、及び上記（ｃ）の配置の何れの配置にすることも可能である。したがって、本実施形態の非接触型データ受送信体７０は、設計の自由度が高い。
【００５３】
ＩＣチップ７１としては、上記のＩＣチップ１１と同様のものが用いられる。
【００５４】
第１アンテナ７２および第２アンテナ７３としては、上記の第１アンテナ１２および第２アンテナ１３と同様のものが用いられる。
【００５５】
本実施形態の非接触型データ受送信体７０は、第１アンテナ７２と第２アンテナ７３の間における電磁界結合が強く、且つ、給電点（ＩＣチップ７１）が第２アンテナ７３に近接している。これにより、本実施形態の非接触型データ受送信体７０は、長距離通信を行うことが可能である。
【００５６】
（８）第８の実施形態
図８は、本実施形態の非接触型データ受送信体を示す概略平面図である。図８において、図１に示した第１の実施形態の非接触型データ受送信体と同一の構成要素には同一符号を付して、その説明を省略する。
本実施形態の非接触型データ受送信体８０は、ＩＣチップ１１と、ＩＣチップ１１が接続される第１アンテナ１２と、第１アンテナ１２と非接触で共振するブースター用の第２アンテナ８３と、を備える。
【００５７】
第２アンテナ８３は、凹部８４を有する平板状の中央部８３Ａと、中央部８３Ａに連接し、中央部８３Ａから紙面の左右方向にそれぞれ沿在する平板状のブースターアンテナ部８３Ｂ，８３Ｂとから構成されている。すなわち、図８に示すように、第２アンテナ８３は、導電性の平板状（帯状）のアンテナからなる。そして、中央部８３Ａに、平板の長手方向の一辺（紙面の左右方向の辺）を基端として、平板の短手方向（長手方向と垂直な方向、紙面の上下方向）に窪む凹部８４を有している。言い換えれば、第２アンテナ８３の凹部８４は、第１アンテナ１２の３つの直線部１２Ａ，１２Ｂ，１２Ｄの各々に沿うように、且つ互いに９０度の角度をなすように、中央部８３Ａが窪んでなる凹部８４が設けられている。また、言い換えれば、第２アンテナ８３は、中央部８３Ａが折り曲げられた３つの辺部８４Ａ，８４Ｂ，８４Ｃを有する凹部８４が設けられている。さらに言い換えれば、四角環形状をなす第１アンテナ１２に沿って配置される第２アンテナ８３の中央部８３Ａに設けられた凹部８４は、コ字状をなしている。また、凹部８４と、ブースターアンテナ部８３Ｂ，８３Ｂとのなす角度θ３１，θ３２が９０度である。
また、第２アンテナ８３は、その長手方向に沿って、中央部８３Ａにおいて折り曲げられて（窪んで）いる。
【００５８】
また、第２アンテナ８３は、中央部８３Ａ（凹部８４）の中央を通り、第２アンテナ８３の長手方向に対して垂直な直線（中心線）を基準として線対称（紙面左右方向に線対称）となっている。
【００５９】
本実施形態では、第２アンテナ８３において、中央部８３Ａとブースターアンテナ部８３Ｂ，８３Ｂとのなす角度θ３１，θ３２が９０度である場合を例示したが、本実施形態はこれに限定されない。本実施形態では、第２アンテナ８３において、中央部８３Ａとブースターアンテナ部８３Ｂ，８３Ｂとのなす角度θ３１，θ３２が９０度以上であればよい。第２アンテナ８３において、中央部８３Ａとブースターアンテナ部８３Ｂ，８３Ｂとのなす角度θ３１，θ３２が９０度未満では、曲げ部での損失の影響が大きくなり通信距離が短くなる。
【００６０】
第２アンテナ８３は、第１アンテナ１２の３つの直線部１２Ａ，１２Ｂ，１２Ｄの各々との間隔ｄ３１，ｄ３２，ｄ３３が２ｍｍ以下となるように配置されていることが好ましい。なお、間隔ｄ３１は、第１アンテナ１２の直線部１２Ａと第２アンテナ８３（凹部８４の底辺をなす辺部８４Ａ）との間隔である。間隔ｄ３２は、第１アンテナ１２の直線部１２Ｂと第２アンテナ８３（凹部８４の一方の側辺をなす辺部８４Ｂ）との間隔である。間隔ｄ３３は、第１アンテナ１２の直線部１２Ｄと第２アンテナ８３（凹部８４の他方の側辺をなす辺部８４Ｃ）との間隔である。
このような配置にするのは、第１アンテナ１２と第２アンテナ８３との電磁界結合を強くするためである。つまり、第２アンテナ８３と、第１アンテナ１２の３つの直線部１２Ａ，１２Ｂ，１２Ｄの各々との間隔ｄ３１，ｄ３２，ｄ３３が２ｍｍを超えると、第１アンテナ１２と第２アンテナ８３との間における電磁界結合が弱くなることがある。
【００６１】
図８に示すように、第２アンテナ８３は、第１アンテナ１２の長さの４分の３以上の長さに亘って第１アンテナ１２に沿うように配置されていることが好ましい。
このようにすれば、第１アンテナ１２と第２アンテナ８３との間における電磁界結合をより強くすることができる。
【００６２】
また、第１アンテナ１２と第２アンテナ８３との配置は、以下に示す配置の何れであっても良い。
（ａ）第１アンテナ１２と第２アンテナ８３とが同一面に含まれる配置
（ｂ）第１アンテナ１２が含まれる面（以下、開口面という）と異なる面に第２アンテナ８３が含まれている配置。且つ、開口面を平面視で見た場合に、第２アンテナ８３の中央部８３Ａ（凹部８４）が第１アンテナの３つの直線部１２Ａ，１２Ｂ，１２Ｄと重なる配置
（ｃ）開口面と異なる面に第２アンテナ８３が含まれている配置。且つ、開口面を平面視で見た場合に、第２アンテナ８３の中央部８３Ａの凹部８４をなす辺部８４Ａ，８４Ｂ及び８４Ｃの少なくとも１つが、第１アンテナ１２の３つの直線部１２Ａ，１２Ｂ，１２Ｄから位置ずれしている配置（但し、上記間隔ｄ３１，ｄ３２，ｄ３３（開口面と第２アンテナ８３が含まれる面との間隔も考慮した間隔）は、２ｍｍ以下にされている）
【００６３】
このように、本実施形態の非接触型データ受送信体８０は、上記（ａ）の配置、上記（ｂ）の配置、及び上記（ｃ）の配置の何れの配置にすることも可能である。したがって、本実施形態の非接触型データ受送信体８０は、設計の自由度が高い。
【００６４】
第２アンテナ８３としては、導電性の平板状（帯状）のアンテナが挙げられる。このようなアンテナとしては、次のものが挙げられる。板状の金属を打ち抜いたアンテナ。絶縁基材と、その上に形成した公知のポリマー型導電インク、銀インク組成物等の導電性のインクからなる導電性膜とからなるアンテナ。絶縁基材と、その上に形成した金属箔をエッチングした導電性膜とからなるアンテナ。絶縁基材と、その上に電気メッキや静電メッキ、もしくは金属蒸着等の各種薄膜形成法により形成した金属薄膜とからなるアンテナ。
金属としては、特に限定されないが、例えば、鉄、ステンレス、アルミニウム等が挙げられる。
第２アンテナ８３の厚さは、特に限定されないが、例えば、１ｍｍ〜３ｍｍである。
【００６５】
本実施形態の非接触型データ受送信体８０は、第１アンテナ１２と第２アンテナ８３の間における電磁界結合が強く、且つ、給電点（ＩＣチップ１１）が第２アンテナ８３に近接している。これにより、本実施形態の非接触型データ受送信体８０は、長距離通信を行うことが可能である。
【００６６】
上述の非接触型データ受送信体１０，２０，３０，４０，５０，６０，７０，８０は、対象物（情報を管理する物品等）上に、直接設けられてもよく、接着材や粘着材を介して設けられてもよい。なお、対象物（情報を管理する物品等）上に非接触型データ受送信体１０，２０，３０，４０，５０，６０，７０，８０を設けるとは、対象物の表面や内面等に、非接触型データ受送信体１０，２０，３０，４０，５０，６０，７０，８０を設けることを言う。また、非接触型データ受送信体１０，２０，３０，４０，５０，６０，７０，８０は、ＩＣチップと第１アンテナが基材の一面に設けられて一体化された状態、第２アンテナが基材の一面に設けられて一体化された状態、ＩＣチップと第１アンテナと第２アンテナ、すなわち、非接触型データ受送信体全体が基材の一面に設けられて一体化された状態、いずれの形態であってもよい。
【００６７】
なお、第１〜第５の実施形態および第８の実施形態では、第１アンテナ１２が四角環形状をなす場合を例示し、第６の実施形態では、第１アンテナ６２が五角環形状をなす場合を例示し、第７の実施形態では、第１アンテナ７２が３つの直線部７２Ａ，７２Ｂ，７２Ｄと、１つの湾曲部７２Ｃとからなる環形状をなす場合を例示したが、本発明はこれに限定されない。本発明にあっては、第１アンテナは、少なくとも３つの直線部を有する環形状であればいかなる形状であってもよい。
また、第１〜第７の実施形態では、第２アンテナが、中央部と、中央部に連接し、中央部から紙面の左右方向にそれぞれ沿在する直線状のブースターアンテナ部とから構成されている場合を例示した。また、第８の実施形態では、第２アンテナが、凹部を有する平板状の中央部と、中央部に連接し、中央部から紙面の左右方向にそれぞれ沿在する平板状のブースターアンテナ部とから構成されている、すなわち、第２アンテナが長手方向に沿って、その中央部において折り曲げられた（窪んだ）場合を例示した。このような第２アンテナは、「第１アンテナの３つの直線部の各々に沿うように、且つ互いに９０度以上の角度をなすように中央部が折り曲げられた辺部を有するアンテナ」に含まれる。
【符号の説明】
【００６８】
１０…非接触型データ受送信体、１１…ＩＣチップ、１２…第１アンテナ、１３…第２アンテナ
【図１】
2019135675.tif 000003
【図２】
2019135675.tif 000004
【図３】
2019135675.tif 000005
【図４】
2019135675.tif 000006
【図５】
2019135675.tif 000007
【図６】
2019135675.tif 000008
【図７】
2019135675.tif 000009
【図８】
2019135675.tif 000010